【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
身体の腔内に配置されるように構成された長尺の医療装置であって、
近位端および遠位端を有する長尺本体部材と、
前記長尺本体部材の外部の周囲に、少なくとも部分的に前記長尺本体部材を取り囲んで取り外し可能に配置された使い捨て可撓シースと、を備え、
前記長尺本体部材は、光源と、画像センサとを含み、
前記使い捨て可撓シースは、前記画像センサと光学的に位置合わせされた第１透明セクションと、前記光源と光学的に位置合わせされた第２透明セクションとを有する透明光学部材を含む光学部材を含み、前記第１及び第２の透明セクションはレンズとして機能し、前記透明光学部材は不透明壁を有し、当該不透明壁は前記第１及び第２の透明セクションの間に配置されるとともに前記第１及び第２の透明セクションの間を仕切ることによって前記光源から前記画像センサへの光汚染を最小限に抑えるように構成され、前記透明光学部材の後端の表面全体が、平坦なディスクを形成する平面であるとともに前記長尺本体部材の前平坦面と連係する、
長尺の医療装置。
【請求項２】
前記長尺本体部材は、前記画像センサに動作可能に結合された第１レンズと、前記光源に動作可能に結合された第２レンズとを更に含む、請求項１に記載の長尺装置。
【請求項３】
前記光源の光路が、前記第２透明セクションの像面の外側にある、請求項２に記載の長尺装置。
【請求項４】
前記第１レンズの前端が、前記第１透明セクションの後端に近接して配置されている、請求項２に記載の長尺装置。
【請求項５】
前記シースの内面および外面に抗生物質が含まれる、請求項１に記載の長尺装置。
【請求項６】
前記シースが、前記シースの長手方向軸を中心として配置された複数種の繊維強化ポリマーを含む、請求項１に記載の長尺装置。
【請求項７】
前記長尺本体部材が、前記長尺本体部材の近位端から前記長尺本体部材の遠位端まで実質的に連続する外径を備える、請求項１に記載の長尺装置。
【請求項８】
前記シースが、前記シースの近位端における第１内径と、前記シースの遠位端における第２内径とを含む、請求項７に記載の長尺装置。
【請求項９】
前記第１内径が、前記長尺本体部材の外径と実質的に等しく、前記第２内径が、前記長尺本体部材の外径よりも小さい、請求項８に記載の長尺装置。
【請求項１０】
前記第１レンズの前端と前記第１透明セクションの後端との間に配置された透明ゲルを含むコンパートメントを更に備える、請求項２に記載の長尺装置。
【請求項１１】
前記第１透明セクションが拡大レンズを含み、前記第２透明セクションが非拡大レンズを含む、請求項１に記載の長尺装置。
【請求項１２】
前記第２透明セクションの遠位端に金属層を含み、前記金属層が、前記第２透明セクションの前面付近に堆積されている、請求項２に記載の長尺装置。
【請求項１３】
前記第１透明セクションが前記第１レンズと軸方向において位置合わせされており、前記第２透明セクションが前記光源の光路内に配置されており、前記第２透明セクションにのみ前記金属層が含まれている、請求項１２に記載の長尺装置。
【請求項１４】
身体の腔内に配置されるように構成された長尺の医療装置であって、
近位端および遠位端を有する長尺本体部材と、
前記長尺本体部材の外部の周囲に、前記長尺本体部材を取り囲んで取り外し可能に配置された使い捨て可撓シースと、
前記使い捨てシースの周方向側面の周囲に配置された第２位置合わせ部材に対応する、前記長尺本体部材の周方向側面の周囲に配置された第１位置合わせ部材と、を備え、
前記長尺本体部材は、光源と、画像センサとを含み、
前記使い捨て可撓シースは、前記画像センサと光学的に位置合わせされた第１透明セクションと、前記光源と光学的に位置合わせされた第２透明セクションとを有する透明光学部材を含む光学部材を含み、前記第１及び第２の透明セクションはレンズとして機能し、前記透明光学部材は不透明壁を有し、当該不透明壁は前記第１及び第２の透明セクションの間に配置されるとともに前記第１及び第２の透明セクションの間を仕切ることによって前記光源から前記画像センサへの光汚染を最小限に抑えるように構成され、前記透明光学部材の後端が平面であるとともに前記長尺本体部材の前平坦面と連係する、
長尺医療装置。
【請求項１５】
前記透明光学部材が、第３透明セクションと、前記第２透明セクションと前記第３透明セクションとの間に配置された補助的な不透明壁とを含む、請求項１４に記載の長尺装置。
【請求項１６】
前記第３透明セクションが、前記長尺部材の補助的な画像センサと光学的に位置合わせされている、請求項１５に記載の長尺装置。
【請求項１７】
前記透明光学部材付近に配置される光学フィルター媒体を更に備える、請求項１４に記載の長尺装置。
【請求項１８】
前記透明光学部材の外面部が、前記シースの側面の周囲に配置される、請求項１４に記載の長尺装置。
【請求項１９】
患者の腔を撮像する方法であって、
前記患者の腔内に長尺の光学医療装置を配置する工程と、
前記長尺の光学医療装置を前記患者の腔内の所望のターゲットまで前進させる工程と、
前記長尺の光学医療装置を用いて前記所望のターゲットの画像を取得する工程と、を含み、
前記長尺の医療装置が、（ｉ）近位端および遠位端を有し、前記遠位端付近に配置された光源と画像センサとを更に備える長尺本体部材と、（ｉｉ）前記長尺本体部材の外側の周囲に、前記長尺本体部材を取り囲んで取り外し可能に配置された使い捨て可撓シースと、を備え、前記使い捨て可撓シースは、前記画像センサと光学的に位置合わせされた第１透明セクションと、前記光源と光学的に位置合わせされた第２透明セクションとを含む透明光学部材を含み、前記第１及び第２の透明セクションはレンズとして機能し、前記透明光学部材は不透明壁を有し、当該不透明壁は前記第１及び第２の透明セクションの間に配置されるとともに前記第１及び第２の透明セクションの間を仕切ることによって前記光源から前記画像センサへの光汚染を最小限に抑えるように構成され、前記透明光学部材の後端の表面全体が、平坦なディスクを形成する平面であるとともに前記長尺本体部材の前平坦面と連係する、方法。
【請求項２０】
前記長尺の光学医療装置を前記患者の腔から取り除く工程と、その後、前記使い捨て可撓シースを前記長尺の光学医療装置から取り外す工程とを更に含む、請求項１９に記載の方法。
【請求項２１】
医療装置を用いて１つ以上の体腔を撮像する連続した医療処置間の交差汚染を防止することを容易化する方法であって、
光学部材を備える使い捨て可撓シースを提供する工程と、
体腔を撮像するように構成された長尺の医療装置の外側の周囲に、前記可撓シースを取り外し可能に配置することを容易化する工程であって、前記可撓シースが、前記長尺の医療装置の少なくとも一部を取り囲むように構成され得る工程と、
前記可撓シースを透明光学部材と共に構成する工程と、を含み、
前記透明光学部材は、前記長尺の医療装置の画像センサと光学的に位置合わせされた第１透明セクションと、前記長尺の医療装置の光源と光学的に位置合わせされた第２透明セクションとを含み、前記透明光学部材は不透明壁を有し、当該不透明壁は前記第１及び第２の透明セクションの間に配置されることによって前記光源から前記画像センサへの光汚染を最小限に抑えるように構成され、前記透明光学部材の後端の表面全体が、平坦なディスクを形成する平面であるとともに前記長尺本体部材の前平坦面と連係する、方法。
【請求項２２】
撮像処置後に、前記長尺の医療装置から前記可撓シースを取り外すことを容易化する工程を更に含み、前記可撓シースを廃棄し、新しいシースを前記長尺の医療装置と共に用いてもよい、請求項２１に記載の方法。
【請求項２３】
前記光学部材の外面の少なくとも一部に金属層を含む、請求項２１に記載の方法。
【請求項２４】
単色光ビームを、前記金属層を通ってターゲット上に伝搬する工程を更に含み、前記光学部材が前記ターゲットと直接接触している、請求項２３に記載の方法。
【請求項２５】
ターゲットから収集されたラマンスペクトルデータのアレイを取得し、前記ラマンスペクトルデータを処理する工程を更に含む、請求項２１に記載の方法。
【請求項２６】
前記第１位置合わせ部材が前記長尺本体部材の外側面の周囲に配置される、請求項１４に記載の長尺装置。
【請求項２７】
前記長尺本体部材は、前記画像センサに動作可能に結合された第１レンズと、前記光源に動作可能に結合された第２レンズとを更に含む、請求項１４に記載の長尺装置。
【請求項２８】
前記第１透明セクションは、前記透明光学部材の第１周辺セクションに沿って、及び前記不透明壁の一方側に沿って延在する第１領域を画定し、前記第２透明セクションは、前記透明光学部材の第２周辺セクションに沿って、及び前記不透明壁の他方側に沿って延在する第２領域を画定する、請求項１に記載の長尺装置。
【請求項２９】
前記第１及び第２の周辺セクションが前記透明光学部材の周方向周辺を画定する、請求項２８に記載の長尺装置。
【請求項３０】
前記光源が前記第１領域内のいずれかの位置で光学的に位置合わせされ、前記画像センサが前記第２領域内のいずれかの位置で光学的に位置合わせされることによって、前記使い捨て可撓シースが複数の異なる長尺本体部材を収容するように機能する、請求項２８に記載の長尺装置。
【請求項３１】
前記不透明壁が前記透明光学部材の一方から他方まで直線的に延在する、請求項１に記載の長尺装置。
【請求項３２】
前記第１透明セクション及び前記第２透明セクションが異なる厚さを有する、請求項１に記載の長尺装置。
【請求項３３】
前記透明光学部材の互いに対向する側面の各々が当該側面の円形表面領域全体に沿って実質的に平面をなすように、前記透明光学部材が円筒形状を有する、請求項１に記載の長尺装置。
【請求項３４】
前記不透明壁が前記透明光学部材の前面と前記後端との間に収容される、請求項１に記載の長尺装置。